(57)【特許請求の範囲】
【請求項１】
底面が平坦に形成された本体部の正面と背面との間を貫通させて、親指を挿入させる穴を形成し、
前記穴の周囲を囲む位置に、前記本体部に埋め込んで、複数の磁石を配置し、
前記本体部の上面と前記本体部の一方の側面との間に位置する一方の上角部分を曲面に形成し、
前記穴の断面形状が楕円形であり、前記楕円形の長軸方向が、底面に垂直な垂線方向に対して、前記本体部の上角部分に曲面がある一方の側面に近づく方向に傾斜していることを特徴とする、親指用健康器具。
【請求項２】
前記磁石が柱状であり、前記磁石の長手方向と前記穴の長手方向が平行に配置されていることを特徴とする、請求項１に記載の親指用健康器具。
【請求項３】
前記磁石が柱状であり、前記磁石の長手方向と前記穴の長手方向が直角に配置されていることを特徴とする、請求項１に記載の親指用健康器具。
【発明の詳細な説明】
【技術分野】
【０００１】
本発明は、親指に磁気を与えることにより、血行促進などの効果を図る親指用健康器具に関する。
【背景技術】
【０００２】
人体に磁気を与えると、例えば肩凝りの改善等の効果が得られることが知られている。これは、ファラデーの電磁誘導の法則により、血液が磁束中を通過することで、血行促進が起こることなどに起因すると考えられる。
【０００３】
従来、磁石を埋め込むことにより、指に磁気を与える医療効果を発揮させることを企図した指輪が開示されている（例えば特許文献１）。
【先行技術文献】
【特許文献】
【０００４】
【特許文献１】特開平８−１０７９３７号公報
【発明の概要】
【発明が解決しようとする課題】
【０００５】
しかしながら、人によっては指輪は窮屈に感じる場合があり、よりリラックスした状態で磁気効果が得られる健康器具の出現が望まれていた。
【０００６】
本発明は、上記事情に鑑みてなされたものであり、リラックスした状態で特に親指に磁気効果を与えることができる親指用健康器具を提供することを目的とする。
【課題を解決するための手段】
【０００７】
上記課題を解決する本発明によれば、底面が平坦に形成された本体部の正面と背面との間を貫通させて、親指を挿入させる穴を形成し、前記穴の周囲を囲む位置に、前記本体部に埋め込んで、複数の磁石を配置し、前記本体部の上面と前記本体部の一方の側面との間に位置する一方の上角部分を曲面に形成し、前記穴の断面形状が楕円形であり、前記楕円形の長軸方向が、底面に垂直な垂線方向に対して、前記本体部の上角部分に曲面がある一方の側面に近づく方向に傾斜していることを特徴とする、親指用健康器具が提供される。
【０００８】
この親指用健康器具において、前記磁石が柱状であり、前記磁石の長手方向と前記穴の長手方向が平行または直角に配置されていても良い。
【発明の効果】
【０００９】
本発明の親指用健康器具によれば、リラックスした状態で特に親指に磁気効果を与えることができる。親指を流れる血液が磁束中を通過することで、血行促進が起こり、例えば肩凝りの改善等の効果が期待される。
【図面の簡単な説明】
【００１０】
【図１】本発明の実施の形態に係る親指用健康器具の平面図である。
【図２】本発明の実施の形態に係る親指用健康器具の正面図である。
【図３】本発明の実施の形態に係る親指用健康器具の右側面図である。
【図４】穴に右手の親指を挿入した状態を示す、本発明の実施の形態に係る親指用健康器具の背面図である。
【図５】穴に右手の親指を挿入した状態を示す、本発明の実施の形態に係る親指用健康器具の左側面図である。
【図６】四角柱形状の各磁石の長軸（長手方向）が穴（指穴）の長手方向と直行するように配置した例（タイプ１）の説明図（正面図）である。
【図７】四角柱形状の各磁石の長軸（長手方向）が穴（指穴）の長手方向と直交するように配置した例（タイプ１）の平面図である。
【図８】穴の内部における磁束密度の測定位置の説明図である。
【発明を実施するための形態】
【００１１】
以下、本発明の実施の形態を図面を参照にして説明する。なお、各図において共通の構成要素には同じ符号を付することにより、重複した説明を省略する。
【００１２】
図１〜５に示すように、本発明の実施の形態に係る親指用健康器具１は、概ね立方体の形状を有している。なお、説明のため、この実施の形態においては、親指用健康器具１の各面１０〜１５の向きを、図２を基準に次のように定義する。すなわち、図１において下側の面、図２において紙面上側の面、図３において左側の面、図５において右側の面を正面１０と定義する。図１において上側の面、図３において右側の面、図４において紙面上側の面、図５において右側の面を背面１１と定義する。図１において紙面上側の面、図２〜５において上側の面を上面１２と定義する。図２〜５において下側の面を底面１３と定義する。図１、２において右側の面、図３において紙面上側の面、図４において左側の面を右側面１４と定義する。図１、２において左側の面、図４において右側の面、図５において紙面上側の面を左側面１５と定義する。
【００１３】
親指用健康器具１の本体部２０の底面１３は、平坦に形成されている。そのため、親指用健康器具１を、例えば机の上面などに安定して置くことができる。本体部２０は、例えば木材、発泡樹脂、プラスチック、石膏等、加工が容易で軽量な材料で構成することが好ましい。
【００１４】
親指用健康器具１の本体部２０は、概ね立方体の形状であるが、本体部２０の上面１２と右側面１４との間に位置する上角部分は曲面１６に形成されている。なお、一例として、本体部２０の上面１２と右側面１４との間に位置する上角部分を曲面１６に形成した形態を示したが、本体部２０の上面１２と左側面１５との間に位置する上角部分を曲面１６に形成しても良いし、本体部２０の上面１２と右側面１４との間に位置する上角部分、および、本体部２０の上面１２と左側面１５との間に位置する上角部分の両方を曲面１６に形成しても良い。
【００１５】
親指用健康器具１の本体部２０の正面１０と背面１１との間には、正面１０から背面１１まで貫通する穴２１が形成されている。穴２１は、親指Ａ１を余裕をもって挿入させる大きさを有しており、正面１０および背面１１のいずれの側からも、穴２１の内部に親指Ａ１を挿入することができる。この穴２１の深さ（長さ）は、親指Ａ１全体を挿入できるように例えば５０ｍｍ程度に設定されている。
【００１６】
穴２１の断面形状は楕円形であり、楕円形の長軸方向２１ａは、底面１３に垂直な垂線方向１３ａに対して、本体部の右側面１４に近づく方向に傾斜している。前述の曲面１６は、このように楕円形の長軸方向２１ａが近づく方向にある本体部２０の側面（右側面１４）と上面１２との間に位置する上角部分に、少なくとも形成されている。なお、この実施の形態では、楕円形の長軸方向２１ａは、底面１３に垂直な垂線方向１３ａに対して、約２０°の大きさで右側面１４に近づく方向に傾斜している。
【００１７】
穴２１の周囲には、穴２１の周囲をほぼ一定の間隔で囲むように、複数の磁石２２が本体部２０の内部に埋め込まれて配置されている。磁石２２は、例えば四角柱形状のネオジウム磁石等であり、各磁石２２の長軸が穴２１の長手方向と平行となり、磁極が穴２１の中心に向かうように配置されている。また、穴２１の内面から各磁石２２までの距離がほぼ一定となるように配置されている。
【００１８】
以上のように構成された本発明の実施の形態に係る親指用健康器具１において、図４、５に示すように、本体部２０の正面１０の側から穴２１に親指Ａ１を挿入する。そして、人差し指Ａ２、中指Ａ３、薬指Ａ４、小指Ａ５で、本体部２０の上面１２と右側面１４との間の上角部分に形成された曲面１６を包み込むようにして、親指用健康器具１の本体部２０を保持する。なお、図４、５では、右手の親指Ａ１に親指用健康器具１を装着した状態を例にして説明している。
【００１９】
このように、右手の親指Ａ１に親指用健康器具１を装着した状態では、必然的に本体部２０の底面１３が下側となる。そのため、右手の親指Ａ１に装着した親指用健康器具１を、例えば机の上面などに安定して置くことができる。また、このように、穴２１に親指Ａ１を挿入すると、穴２１の周囲に埋め込まれている複数の磁石２２が、親指Ａ１の周りを取り囲むように配置されることとなる。これにより、リラックスした状態で親指Ａ１に磁気効果を与えることができる。親指Ａ１を流れる血液が複数の磁石２２で形成された磁束中を通過することで、血行促進が起こり、例えば肩凝りの改善等の効果が期待される。
【００２０】
ここで、一般的に人の親指Ａ１の断面形状は真円ではなく、横に扁平した楕円形になっている。本発明の実施の形態に係る親指用健康器具１では、穴２１の断面形状が、一般的な人の親指Ａ１の断面形状に近い楕円形であり、図４、５に示すように、本体部２０の正面１０の側から穴２１に親指Ａ１を挿入して、人差し指Ａ２〜小指Ａ５で、本体部２０の上面１２と右側面１４との間の上角部分に形成された曲面１６を包み込むようにして親指用健康器具１を保持すると、横に扁平した親指Ａ１の断面形状のなす楕円形の長軸方向が、穴２１の断面形状のなす楕円形の長軸方向２１ａにほぼ一致することとなる。このため、横に扁平した親指Ａ１の全体を、断面形状が楕円形の穴２１の内面全体で包み込むように保持することが可能となる。
【００２１】
以上、本発明の実施形態について説明したが、本発明はかかる例に限定されない。当業者であれば、特許請求の範囲に記載された技術的思想の範疇内において、各種の変更例または修正例に想到しうることは明らかであり、それらについても当然に本発明の技術的範囲に属するものと了解される。
【００２２】
例えば、図４、５に示す例では、本体部２０の正面１０の側から穴２１に右手の親指Ａ１を挿入することにより、右手の親指Ａ１に親指用健康器具１を装着した状態を説明した。しかしながら、この親指用健康器具１にあっては、本体部２０の背面１１の側から穴２１に左手の親指Ａ１を挿入することにより、同様にして、左手の親指Ａ１に親指用健康器具１を装着することが可能である。
【００２３】
図１〜５では、複数の磁石２２の長軸が穴２１の長手方向と平行となるように配置した例を説明した。しかしながら、磁石２２の配置の方向は、穴２１の長手方向と平行には限られない。図６は、四角形状の各磁石２２の長軸（長手方向）が穴２１（指穴）の長手方向と直交するように配置した例の説明図である。図７は、図６に示した各磁石２２の配置を示す平面図である。各磁石２２の長軸（長手方向）が穴２１（指穴）の長手方向と直角になるように配置しても良い。このように、各磁石２２の長軸（長手方向）が穴２１（指穴）の長手方向と直角である場合、いわゆる多極式となり、クラスター化（集団化）している血液成分にスピン現象を生じさせ、微粒子化・活性化が期待できる。なお、図６、７では、穴２１を挟んで互いに反対側に配置される磁石２２の対において、一方の磁石２２をＮ極が穴２１に向かう磁石（２２ａ）、他方の磁石２２をＳ極が穴２１に向かう磁石（２２ｂ）とし、穴２１に沿って合計で三対の磁石２２（２２ａ、２２ｂ）を配置した例を示している。また、穴２１の一方側（図６において、穴２１の左側では、穴２１に沿って、Ｎ極が穴２１に向かう磁石（２２ａ）、Ｓ極が穴２１に向かう磁石（２２ｂ）、Ｎ極が穴２１に向かう磁石（２２ａ）を順に並べて配置し、穴２１の右側では、穴２１に沿って、Ｓ極が穴２１に向かう磁石（２２ｂ）、Ｎ極が穴２１に向かう磁石（２２ａ）、Ｓ極が穴２１に向かう磁石（２２ｂ）を順に並べて配置した構成になっている。いわゆる３極式の配置である。
【実施例】
【００２４】
（実施例１）
まず、磁石２２の配置の向きについて検討を行った。タイプ１では、図６、７で説明した形態と同様に、四角形状の各磁石２２の長軸（長手方向）が穴２１（指穴）の長手方向と直交するように配置した。なお、実施例１のタイプ１では、穴２１に沿って合計で四対の磁石２２（２２ａ、２２ｂ）を配置し、いわゆる４極式の配置とした。
一方、タイプ２では、図１〜５で説明した形態と同様に、四角形状の各磁石２２の長軸（長手方向）が長手方向と平行となり、磁極が穴２１の中心に向かうように配置した。
【００２５】
これらタイプ１、２について、図８に示すように、穴２１の内部における本体部２０の正面１０からの深さ０、５、１０、１５、２０、２５、３０、３５、４０、４５、５０（ｍｍ）の各位置において、穴２１の右側ａ１、中心部ａ２、左側ａ３で、それぞれ磁束密度（ｍＴ）を測定した。タイプ１についての測定結果を表１に示す。タイプ２についての測定結果を表２に示す。これら表１、２の比較から、各磁石２２の長軸（長手方向）が穴２１（指穴）の長手方向と平行となるように配置した場合、特に穴２１の中心部ａ２で磁束密度が高くなった。また、タイプ１に比べて、タイプ２では、穴２１の右側ａ１、中心部ａ２、左側ａ３における磁束密度のばらつきを小さくできた。
【００２６】
【表１】
0006723592.tif 000002
【００２７】
【表２】
0006723592.tif 000003
【００２８】
（実施例２）
次に、図１〜５で説明した本発明の実施の形態にかかる親指用健康器具１を実際に用いて、血行促進に関する効果を調べた。図４、５に示すように、右手の親指Ａ１に親指用健康器具１を装着した状態で、経時的に血圧と脈拍数の変化を調べた。測定結果を表３に示す。血圧については概ね時間とともに低下する傾向がみられた。また、脈拍数についても時間とともに低下する傾向がみられた。
【００２９】
【表３】
0006723592.tif 000004
【符号の説明】
【００３０】
１  親指用健康器具
１０  正面
１１  背面
１２  上面
１３  底面
１３ａ  垂線方向
１４  右側面
１５  左側面
１６  曲面
２０  本体部
２１  穴
２１ａ  長軸方向
２２  磁石
Ａ１  親指
Ａ２  人差し指
Ａ３  中指
Ａ４  薬指
Ａ５  小指
【要約】
【課題】リラックスした状態で特に親指に磁気効果を与えることができる親指用健康器具を提供することを目的とする。
【解決手段】  底面１３が平坦に形成された本体部２０の正面１０と背面１１との間を貫通させて、親指Ａ１を挿入させる穴２１を形成し、穴２１の周囲を囲む位置に、本体部２０に埋め込んで、複数の磁石２２を配置したことを特徴とする、親指用健康器具１。本発明の親指用健康器具１によれば、リラックスした状態で特に親指Ａ１に磁気効果を与えることができる。親指Ａ１を流れる血液が磁束中を通過することで、血行促進が起こり、例えば肩凝りの改善等の効果が期待される。
【選択図】図５【図１】
0006723592.tif 000005
【図２】
0006723592.tif 000006
【図３】
0006723592.tif 000007
【図４】
0006723592.tif 000008
【図５】
0006723592.tif 000009
【図６】
0006723592.tif 000010
【図７】
0006723592.tif 000011
【図８】
0006723592.tif 000012